(57)【要約】【課題】屋外において線香の束にすばやく着火できる便利な線香着火器具を提供する。【解決手段】電池（１５）が内蔵された携帯可能な器具本体（Ｆ）の一半側を線香収納室（Ｒ１）とし、同じく他半側をライター（Ｌ）の本体ケース（１０）として、その線香収納室（Ｒ１）へ１束の線香（Ｍ）を出し入れ自在に収納すると共に、その線香（Ｍ）の一端部には上記電池（１５）によって回転駆動されるファンモーター（１３）と、同じく線香（Ｍ）の他端部にはライター（Ｌ）の発熱部とを各々臨ませ、そのライター（Ｌ）の発熱を上記線香（Ｍ）の一端部からファンモーター（１３）により吸引して、線香（Ｍ）における他端部の全面へ着火促進させる。【選択図】  図７
2010270949.tif 000002
【特許請求の範囲】
【請求項１】
電池が内蔵された携帯可能な器具本体の一半側を線香収納室とし、同じく他半側をライターの本体ケースとして、その線香収納室へ１束の線香を出し入れ自在に収納すると共に、
その線香の一端部には上記電池によって回転駆動されるファンモーターと、同じく線香の他端部にはライターの発熱部とを各々臨ませ、
そのライターの発熱を上記線香の一端部からファンモーターにより吸引して、線香における他端部の全面へ着火促進させることを特徴とする線香着火器具。
【請求項２】
線香収納室の上面開閉扉を器具本体へ起伏的な回動操作自在に枢着して、その上面開閉扉から一対の可動線香受け枕を内向き一体的に張り出す一方、その両可動線香受け枕の相互間に介在する固定線香受け枕を、上記線香収納室の内壁面に取り付け一体化して、
１束の線香を両可動線香受け枕と固定線香受け枕により、その線香収納室の長手中心線上に沿って載置セットできるように定めたことを特徴とする請求項１記載の線香着火器具。
【請求項３】
線香収納室の上面開閉扉を器具本体へ起伏的な回動操作自在に枢着すると共に、その線香収納室と上面開閉扉との対応的な他端部を、断熱材とその裏板により包囲された線香用着火口として形作り、
その着火口がライターの発熱部に臨む壁面を、線香の１本づつよりも細かい多数の通気孔が開口分布する金網やパンチングメタル、耐火スクリーンなどから成る通気壁としたことを特徴とする請求項１記載の線香着火器具。
【請求項４】
器具本体における線香収納室の線香用着火口を形作る通気壁と、ライター本体ケースとの向かい合う相互間に、ファンモーターの外気吸入切欠を確保したことを特徴とする請求項３記載の線香着火器具。
【請求項５】
ライターを圧電式として、その放出ガスの引火部を線香の他端部へ臨ませ、そのライターの操作ボタンを押し込み操作して、上記引火部から炎が発生した後、その操作ボタンの操作手を放しても一定時間だけはファンモーターが回転続行するように関係設定したことを特徴とする請求項１記載の線香着火器具。
【請求項６】
ライターを電池式として、その抵抗線発熱部に線香の他端部を直接押し付け乍ら、ファンモーターを回転させることを特徴とする請求項１記載の線香着火器具。
【発明の詳細な説明】
【技術分野】
【０００１】
本発明は墓地や寺院、その他の屋外において、線香の束にすばやく着火するための便利な線香着火器具に関する。
【背景技術】
【０００２】
この種の線香着火器具としては、実開平６−６５７４８号と特開平９−３１０８５３号が提案されており、その後者の特開平９−３１０８５３号発明が、電熱ヒーター（２２）の熱を線香（Ｓ）の反対側から吸引フアン（１１）により吸引し、線香（Ｓ）に着火させている点で、本発明と基本的に最も近似する公知技術であると考えられる。
【先行技術文献】
【特許文献】
【０００３】
【特許文献１】実開平６−６５７４８号公報
【特許文献２】特開平９−３１０８５３号公報
【発明の概要】
【発明が解決しようとする課題】
【０００４】
ところが、上記特開平９−３１０８５３号発明の構成では電源（電池）を装備していないため、屋外において電熱ヒーター（ニクロム線）（２２）を加熱したり、吸引フアン（１１）のモーター（Ｍ）を回転させたりすることができず、携帯使用上不便である。
【０００５】
又、線香（Ｓ）の検知センサー（２３）が電源スイッチとして、電熱ヒーター（２２）や吸引フアン（１１）のモーター（Ｍ）へ給電するようになっているため、しかも線香（Ｓ）を収納する一対の筒体（１）（２）がバラバラになるため、その太い筒体（２）が下側となる縦向きの嵌合姿勢において、線香（Ｓ）を上記センサー（２３）の位置まで奥深く差し込まなければならず、使用上の大きな制約を受けるのである。
【０００６】
更に、電熱ヒーター（２２）と線香（Ｓ）との境界部には金網製の仕切り（２１）が介在しているため、その線香（Ｓ）を電熱ヒーター（２２）へ直かに押し付けることができず、その着火するまでに長時間を要する。殊更、電熱ヒーター（２２）に代えて、炎が上昇する燃料用変性アルコールやベンジンなどの液体燃料、蝋燭などを採用した場合、線香（Ｓ）に着火するまで筒体（１）（２）を握り持ち難く、その使用上の安全性を確保することができない。
【課題を解決するための手段】
【０００７】
本発明はこのような諸問題の改良を目的としており、その目的を達成するために、請求項１では電池が内蔵された携帯可能な器具本体の一半側を線香収納室とし、同じく他半側をライターの本体ケースとして、その線香収納室へ１束の線香を出し入れ自在に収納すると共に、
【０００８】
その線香の一端部には上記電池によって回転駆動されるファンモーターと、同じく線香の他端部にはライターの発熱部とを各々臨ませ、
【０００９】
そのライターの発熱を上記線香の一端部からファンモーターにより吸引して、線香における他端部の全面へ着火促進させることを特徴とする。
【００１０】
又、請求項２では線香収納室の上面開閉扉を器具本体へ起伏的な回動操作自在に枢着して、その上面開閉扉から一対の可動線香受け枕を内向き一体的に張り出す一方、その両可動線香受け枕の相互間に介在する固定線香受け枕を、上記線香収納室の内壁面に取り付け一体化して、
【００１１】
１束の線香を両可動線香受け枕と固定線香受け枕により、その線香収納室の長手中心線上に沿って載置セットできるように定めたことを特徴とする。
【００１２】
請求項３では線香収納室の上面開閉扉を器具本体へ起伏的な回動操作自在に枢着すると共に、その線香収納室と上面開閉扉との対応的な他端部を、断熱材とその裏板により包囲された線香用着火口として形作り、
【００１３】
その着火口がライターの発熱部に臨む壁面を、線香の１本づつよりも細かい多数の通気孔が開口分布する金網やパンチングメタル、耐火スクリーンなどから成る通気壁としたことを特徴とする。
【００１４】
請求項４では器具本体における線香収納室の線香用着火口を形作る通気壁と、ライター本体ケースとの向かい合う相互間に、ファンモーターの外気吸入切欠を確保したことを特徴とする。
【００１５】
請求項５ではライターを圧電式として、その放出ガスの引火部を線香の他端部へ臨ませ、そのライターの操作ボタンを押し込み操作して、上記引火部から炎が発生した後、その操作ボタンの操作手を放しても一定時間だけはファンモーターが回転続行するように関係設定したことを特徴とする。
【００１６】
更に、請求項６ではライターを電池式として、その抵抗線発熱部に線香の他端部を直接押し付け乍ら、ファンモーターを回転させることを特徴とする。
【発明の効果】
【００１７】
請求項１の構成によれば、器具本体の一半側が線香収納室をなすため、その内部へ１束の線香を安定良く収納して、片手での容易に携帯することができ、しかも器具本体の他半側をなすライターの使用により、その任意な方向や姿勢のもとで点火し得る利便性がある。
【００１８】
そして、そのライターの発熱を線香の一端部からファンモーターにより吸引し、その線香における他端部の全面へ着火促進させるようになっているため、上記１束の線香を結束状態のままでもすばやく着火できる効果がある。
【００１９】
又、請求項２の構成を採用するならば、器具本体の線香収納室に対する線香の出し入れ作業を、ますます便利良く行なえるほか、その線香収納室の内部に挿入された１束の線香を、一対の可動線香受け枕とその相互間に介在する固定線香受け枕により、上記線香収納室の長手中心線上に沿い延在する寝た姿勢として、ライターの発熱部と対応位置する調芯状態に保つことができ、線香の安定性に優れる。
【００２０】
請求項３の構成を採用するならば、線香収納室とその上面開閉扉との対応する他端部に、断熱材とその裏板から包囲された線香用着火口を形作ることができ、しかもその着火口がライターの発熱部に臨む壁面を通気壁として、線香の１本づつよりも細かい多数の通気孔が開口分布する金網やパンチングメタル、耐火スクリーンなどから形成してあるため、１束の線香を着火口の通気壁により抜け止め状態に保ちつつも、ライターの発熱を通気壁の通気孔から、線香収納室の線香へ吸引させることができ、その全面のすばやい着火とその促進に役立つ。
【００２１】
その場合、請求項４の構成を採用するならば、上記線香用着火口の通気壁と、ライター本体ケースとの向かい合う相互間に開口する外気吸入切欠は、ライターの発熱部（引火部）を包囲する周辺にあるため、そのライターの発熱をファンモーターにより円滑に吸引することができ、線香の全体へ効率良く着火させ得るのである。
【００２２】
更に、請求項５の構成を採用するならば、圧電式ライターの引火部（発熱部）に発生した炎の熱を、線香収納室の一半側からファンモーターにより吸引して、その線香における他端部の全面へ確実に着火させることができ、その着火性能が著しく向上する。
【００２３】
請求項６の構成を採用するならば、器具本体の他半側を小型・簡素な電池式ライターとして形作ることができ、それでもライターの抵抗線発熱部へ線香を直かに押し付け乍ら、一半側からファンモーターにより吸引して、その線香の他端部へ着火させ得る効果がある。
【図面の簡単な説明】
【００２４】
【図１】本発明に係る線香着火器具の第１実施形態を示す正面図である。
【図２】図１の平面図である。
【図３】図１の底面図である。
【図４】図１の右側面図である。
【図５】図１の左側面図である。
【図６】図１の６−６線断面図である。
【図７】図２の７−７線断面図である。
【図８】図２の８−８線拡大断面図である。
【図９】図２の９−９線拡大断面図である。
【図１０】図２の１０−１０線拡大断面図である。
【図１１】図１０から上面開閉扉を開放した状態を示す断面図である。
【図１２】本発明に係る線香着火器具の第２実施形態を示す一部破断の正面図である。
【図１３】図１２の底面図である。
【図１４】本発明に係る線香着火器具の第３実施形態を示す断面正面図である。
【発明を実施するための形態】
【００２５】
以下、図示の実施形態に基いて本発明の構成を具体的に詳述すると、図１〜１１はその本発明の第１実施形態として、圧電式ライターが組み付けユニット化された線香着火器具を示しており、（Ｆ）は金属や耐熱性の硬質な合成樹脂などから携帯できる大きさのほぼ直方体（例えば幅が約３８mm×深さが約５５mm×長さが約３０８mm）に造形された器具本体であって、その一半側（前半側）が線香収納室（Ｒ１）と電池収納室（Ｒ２）をなし、残りの他半側（後半側）がライター（Ｌ）の本体ケース（１０）になっている。
【００２６】
（１１）は上記器具本体（Ｆ）における線香収納室（Ｒ１）と電池収納室（Ｒ２）との上下相互間に介在する水平な仕切り床板、（１２）はその線香収納室（Ｒ１）と電池収納室（Ｒ２）を施蓋するため、上記器具本体（Ｆ）に取り付け固定された共通の前面キャップであり、これには線香収納室（Ｒ１）に臨むファンモーター（１３）と、電池収納室（Ｒ２）に臨む前端子板（１４）とが内蔵設置されている。ファンモーター（１３）の外気吸出口が前面キャップ（１２）に開口していることは、言うまでもない。
【００２７】
そして、その電池収納室（Ｒ２）内には複数の電池（１５）（図例では合計４本の単３形乾電池）が収納されており、これを電源として回転するファンモーター（１３）が、後述のライター（Ｌ）により発生された点火の炎を、上記器具本体（Ｆ）の前方から吸引して、線香（Ｍ）へ確実に安定良く着火させ得るようになっている。（１６）はファンモーター（１３）の電源スイッチであり、リターンバネ（１７）の付勢力に抗して押し込み操作される。（１８）は後端子板、（１９）は電池収納室（Ｒ２）の後壁である。
【００２８】
上記線香収納室（Ｒ１）には１束の線香（Ｍ）を収納することができる。（２０）はその線香収納室（Ｒ１）の上面開閉扉であり、上記器具本体（Ｆ）へ蝶番（２１）を介して、図１１のような一定角度（約９０度）（α）だけ回動できるように枢着されている。（２２）はその蝶番（２１）の回動枢軸、（２３）は上面開閉扉（２０）の操作ノブである。
【００２９】
又、（２４ｆ）（２４ｒ）は上面開閉扉（２０）の前端部と後端部付近とから線香収納室（Ｒ１）への内向き（裏向き）張り出し状態に取り付けられた一対の可動線香受け枕であり、その円弧コーナー面（２５）によって線香（Ｍ）を安定良く受け持つことができる。（２６）は上面開閉扉（２０）に対する可動線香受け枕（２４ｆ）（２４ｒ）の取付ビス、（２７）はそのビス受けスペーサーである。
【００３０】
他方、（２８）は上記可動線香受け枕（２４ｆ）（２４ｒ）同士の前後相互間に介在する固定線香受け枕であり、これは可動線香受け枕（２４ｆ）（２４ｒ）の円弧コーナー面（２５）と合致連続し得る凹曲面（２９）を備えたほぼＵ字形として、上記線香収納室（Ｒ１）の内壁面へ固定ビス（３０）により取り付け一体化されている。
【００３１】
つまり、上記線香収納室（Ｒ１）の上面開閉扉（２０）に付属している一対の可動線香受け枕（２４ｆ）（２４ｒ）へ、１束の線香（Ｍ）を寝かせた状態に載置セットして、その上面開閉扉（２０）を回動枢軸（２２）の廻りに一定角度（α）だけ起伏操作することにより、その線香（Ｍ）を器具本体（Ｆ）の線香収納室（Ｒ１）へ便利良く出し入れすることができる。しかも、その線香収納室（Ｒ１）へ挿入された状態の線香（Ｍ）は、固定線香受け枕（２８）とも相俟って、線香収納室（Ｒ１）の長手中心線上へ自づと引き寄せられることにより、後述するライター（Ｌ）の引火部（発熱部）と正確な調芯状態に保たれるのである。
【００３２】
その場合、上面開閉扉（２０）の後端部には図８のような断熱材（３１）とその裏板（３２）とが、固定ビス（３３）によって取り付けられていると共に、これによって開閉される線香収納室（Ｒ１）の後端部には、別個なほぼＵ字形の断熱材（３４）とその裏板（３５）とがやはり固定ビス（３６）によって取り付けられており、線香（Ｍ）の着火口（Ｐ）を形作っている。
【００３３】
更に、（３７）はその着火口（Ｐ）の通気後壁であって、線香（Ｍ）の１本づつよりも細かい多数の通気孔（３８）が開口分布する金網やパンチングメタル、耐火スクリーンなどから成り、上記可動線香受け枕（２４ｆ）（２４ｒ）と固定線香受け枕（２８）により受け持たれた状態にある線香（Ｍ）の後端部が、ライター（Ｌ）の引火部（発熱部）と対応位置して、そのライター（Ｌ）により着火されるようになっている。
【００３４】
先に一言したライター（Ｌ）を説明すると、これは燃料ガス（液化石油ガス）に点火して、炎を発生させる圧電式ライターとして、上記器具本体（Ｆ）の他半側（発熱側）に組み付け一体化されている。
【００３５】
即ち、ライター（Ｌ）の本体ケース（１０）が明らかな図１〜７において、（３９）は液化石油ガスを充填した燃料タンク、（４０）はその燃料タンク（３９）と接続配管されたガス放出ノズル、（４１）はそのノズル（４０）からのガス放出量を調整する制御レバー、（４２）は上記ガス放出ノズル（４０）とその付近の電極（４３）との間に放電火花を起生する圧電ユニットであり、上記ライター本体ケース（１０）の内部に台座（４４）と支持ブラケット（４５）を介して設置されている。
【００３６】
そして、その圧電ユニット（４２）を作動させる操作ボタン（４６）は、上記ライター本体ケース（１０）の上面蓋（４７）を通じて起立状態に導出されており、これを押し下げ操作すれば、上記ガス放出ノズル（４０）から気化したガスが放出する一方、そのガス放出ノズル（４０）と電極（４３）との間に火花放電が発生して、上記ガスに引火する。そのライター（Ｌ）の引火部（発熱部）に発生した炎の熱は、上記線香収納室（Ｒ１）の後端部に画定された着火口（Ｐ）の通気後壁（３７）を経て、その内部にある線香（Ｍ）の後端部へ伝播する。
【００３７】
その場合、ライター（Ｌ）の操作ボタン（４６）から操作手を放すと、炎は消えることになるため、それまでに上記ファンモーター（１３）の電源スイッチ（１６）をオン操作して、そのファンモーター（１３）を回転させることにより、上記ライター（Ｌ）の引火部（発熱部）に発生した炎の熱を、線香収納室（Ｒ１）の一半側（前半側）から吸引し、その線香（Ｍ）における後端部の全面へ言わば強制的に着火させるのである。
【００３８】
（Ｓ）は上記着火口（Ｐ）の通気後壁（３７）と、ライター本体ケース（１０）との前後相互間に確保された外気吸入切欠であって、ライター（Ｌ）により発生した炎の周辺（上側と左右両側）に開口しており、ここから外気がファンモーター（１３）により前方へ吸引されることとなる。（４８）は上記ライター本体ケース（１０）の後面キャップ、（４９）は上記器具本体（Ｆ）の電池収納室（Ｒ２）を施蓋する底板であるが、これを取りはずして、上記電池（１５）の出し入れ交換を行なうことができる。
【００３９】
上記第１実施形態の線香着火器具を使用するに当っては、その器具本体（Ｆ）における線香収納室（Ｒ１）の上面開閉扉（２０）を図１１のように、その枢軸（２２）の廻りに起し上げて、その前後一対の可動線香受け枕（２４ｆ）（２４ｒ）へ１束の線香（Ｍ）を載置セットした後、上記上面開閉扉（２０）を枢軸（２２）の廻りに倒し下げて、線香収納室（Ｒ１）を施蓋する。
【００４０】
そうすれば、線香（Ｍ）の後端部は線香収納室（Ｒ１）の着火口（Ｐ）に位置し、その線香収納室（Ｒ１）の長手中心線（前後中心線）上に沿って延在する姿勢状態となる。そのため、ライター（Ｌ）の操作ボタン（４６）を例えば約５秒間押し込んで、放出ガスに引火させれば、その引火部（発熱部）に発生した炎の熱が、上記着火口（Ｐ）の通気後壁（３７）を経て、線香（Ｍ）の後端部に投射されることとなる。
【００４１】
そこで、次にファンモーター（１３）の電源スイッチ（１６）をオン操作して、そのファンモーター（１３）を約１０〜１５秒間だけ回転させるのであり、そうすれば上記炎の熱が前側からファンモーター（１３）により、結束状態にある線香（Ｍ）同士の隙間を通じて吸引されるため、その線香（Ｍ）の１本づつに確実に波及・伝播し、その切り揃った状態にある後端部の全面をすばやく着火した状態に保つことができ、その促進に役立つ。
【００４２】
その結果、強風を受ける墓地や寺院、その他の屋外でも、又風防となる補助用具や点火しやすい紙類などが特別に無くても、誰もが線香（Ｍ）の束を安全裡に着火できるのであり、老人でも火災事故を起すおそれがない。
【００４３】
但し、上記した順序の言わば逆として、先にファンモーター（１３）を回転させることにより、上記器具本体（Ｆ）の外気吸入切欠（Ｓ）から外気を、ライター（Ｌ）の引火部（発熱部）を経て前方へ吸引し、その吸引中にライター（Ｌ）の操作ボタン（４６）を押し下げて、その放出ガスに引火させ、その炎の熱を線香（Ｍ）への全体的に着火促進させても勿論良い。
【００４４】
次に、図１２、１３は本発明の第２実施形態を示しており、これでも圧電式のライター（Ｌ）によって、線香（Ｍ）の束に着火させることができるようになっているが、下記の点で先の第１実施形態と異なる構成であり、第１実施形態より小型軽量化されてもいる。
【００４５】
つまり、上記第１実施形態ではライター（Ｌ）の操作ボタン（４６）と、ファンモーター（１３）の電源スイッチ（１６）とを各別に設置し、その両者を押し込み操作するようになっているが、第２実施形態ではライター（Ｌ）の操作ボタン（４６）を押し込み操作すれば、ライター（Ｌ）による放火ガスの引火（点火）のみならず、ファンモーター（１３）の回転始動も行なえ、上記操作ボタン（４６）の操作手を放せば、ライター（Ｌ）の炎は消えるが、ファンモーター（１３）だけはそのまま一定時間だけ回転続行するように、そのための制御基板（５０）を介して、ライター（Ｌ）とファンモーター（１３）との電気回路が接続されているのである。
【００４６】
更に、図１４は本発明の第３実施形態を示しており、これでは上記第１、２実施形態の圧電式ライター（Ｌ）に代る電池式ライター（Ｌ）を採用して、その抵抗線発熱部（例えばニクロム線）（５１）に線香（Ｍ）の後端部を直接押し付け密着させるようになっている。そのため第３実施形態の線香着火器具は、そのライター本体ケース（１０）内に好ましくは充電式の電池（５２）と、操作ボタン（電源スイッチ）（４６）によって開閉される接点（５３）も具備している。
【００４７】
このような第３実施形態の構成では、ライター（Ｌ）の抵抗線発熱部（５１）により線香（Ｍ）の後端部に着火された熱が、やはりファンモーター（１３）での吸引された外気により、言わば火熾し作用されて、前方へ波及・促進するため、上記第１、２実施形態と同じ効果を達成することができ、しかもそのための必要な構造を著しく簡素化し得る利点もある。１束の線香（Ｍ）を上記抵抗線発熱部（５１）へ直かに押し付け乍ら、ファンモーター（１３）を必要な一定時間だけ回転させれば良いのである。
【００４８】
尚、図１２〜１４の第２、３実施形態におけるその他の構成は、図１〜１１の上記第１実施形態と実質的に同一であるため、その図１２〜１４に図１〜１１との対応符号を記入するにとどめて、その詳細な説明を省略するが、本発明の着火用ライター（Ｌ）としては上記圧電式や電池式のみならず、フリント（火打石）式を採択することもできる。
【符号の説明】
【００４９】
（１０）・ライター本体ケース
（１１）・仕切り床板
（１２）・前面キャップ
（１３）・ファンモーター
（１４）・前端子板
（１５）・電池
（１６）・電源スイッチ
（１７）・リターンバネ
（１８）・後端子板
（１９）・後壁
（２０）・上面開閉扉
（２１）・蝶番
（２２）・回動枢軸
（２３）・操作ノブ
（２４ｆ）（２４ｒ）・可動線香受け枕
（２５）・円弧コーナー面
（２６）・取付ビス
（２７）・スペーサー
（２８）・固定線香受け枕
（２９）・凹曲面
（３０）・固定ビス
（３１）（３４）・断熱材
（３２）（３５）・裏板
（３３）（３６）・固定ビス
（３７）・通気後壁
（３８）・通気孔
（３９）・燃料タンク
（４０）・ガス放出ノズル
（４１）・制御レバー
（４２）・圧電ユニット
（４３）・電極
（４４）・台座
（４５）・支持ブラケット
（４６）・操作ボタン
（４７）・上面蓋
（４８）・後面キャップ
（４９）・底板
（５０）・制御基板
（５１）・抵抗線発熱部
（５２）・電池
（５３）・接点
（Ｆ）・器具本体
（Ｐ）・着火口
（Ｒ１）・線香収納室
（Ｒ２）・電池収納室
（Ｓ）・外気吸入切欠
【図１】
2010270949.tif 000003
【図２】
2010270949.tif 000004
【図３】
2010270949.tif 000005
【図４】
2010270949.tif 000006
【図５】
2010270949.tif 000007
【図６】
2010270949.tif 000008
【図７】
2010270949.tif 000009
【図８】
2010270949.tif 000010
【図９】
2010270949.tif 000011
【図１０】
2010270949.tif 000012
【図１１】
2010270949.tif 000013
【図１２】
2010270949.tif 000014
【図１３】
2010270949.tif 000015
【図１４】
2010270949.tif 000016